(57)【要約】【課題】ヒューズ回路数を十分に確保することができると共に、全体の小型化を図ることができるヒュージブルリンクを提供する。【解決手段】連結プレート部１４に各可溶体部１５を介して連結される複数の端子部１６，１７が連鎖状に形成された複数のヒューズ回路構成体１３，１３′を有し、複数のヒューズ回路構成体１３，１３′をハウジング２１，２１′に組み付けて大電流用のヒューズ回路を形成するようにしたヒュージブルリンク１０において、連結プレート部１４の略中央に折曲部１２を一体形成し、折曲部１２の両側にヒューズ回路構成体１３，１３′を導電性で平板状のプレート材で一体形成すると共に、この両側のヒューズ回路構成体１３，１３′に絶縁性のハウジング２１，２１′をインサート成形によりそれぞれ一体形成し、かつ、折曲部１２の所定位置を各ハウジング２１，２１′が並列になるように折り曲げ形成した。【選択図】      図１
2004186006.tif 000002
【特許請求の範囲】
【請求項１】
連結プレート部に各可溶体部を介して連結される複数の端子部が連鎖状に形成された複数のヒューズ回路構成体を有し、この複数のヒューズ回路構成体をハウジングに組み付けて大電流用のヒューズ回路を形成するようにしたヒュージブルリンクにおいて、
前記連結プレート部の略中央に折曲部を一体形成し、この折曲部の両側に前記ヒューズ回路構成体を導電性で平板状のプレート材で一体形成すると共に、この両側のヒューズ回路構成体に絶縁性のハウジングをインサート成形によりそれぞれ一体形成し、かつ、前記折曲部の所定位置を前記各ハウジングが並列になるように折り曲げ形成したことを特徴とするヒュージブルリンク。
【請求項２】
請求項１記載のヒュージブルリンクであって、
前記各ハウジングの前記各端子部の両側に対向する位置に外側に突出するリブをそれぞれ一体形成したことを特徴とするヒュージブルリンク。
【請求項３】
請求項１記載のヒュージブルリンクであって、
前記各ハウジングの一方に係止部を形成すると共に、他方に該係止部に係止されて該各ハウジングの並列状態を維持する係合部を形成したことを特徴とするヒュージブルリンク。
【請求項４】
連結プレート部に各可溶体部を介して連結される複数の端子部が連鎖状に形成された複数のヒューズ回路構成体を有し、この複数のヒューズ回路構成体をハウジングに組み付けて大電流用のヒューズ回路を形成するようにしたヒュージブルリンクの製造方法において、
導電性で平板状の一枚のプレート材の略中央に折曲部を、その両側にヒューズ回路構成体をそれぞれ形成するようにプレス加工してブスバーを形成し、次に、このブスバーの折曲部の両側のヒューズ回路構成体に絶縁性のハウジングをインサート成形によりそれぞれ一体形成し、次に、前記ブスバーの折曲部の所定位置を前記各ハウジングが並列になるように折り曲げ形成すると共に、一方のハウジングの係止部を他方のハウジングの係合部に係止させてヒュージブルリンクを組み付けて製造することを特徴とするヒュージブルリンクの製造方法。
【発明の詳細な説明】
【０００１】
【発明の属する技術分野】
本発明は、端子部が各可溶体部を介して連鎖状に連結されるヒューズ回路構成体を有した連鎖型大電流用のヒュージブルリンク及び該ヒュージブルリンクの製造方法に関する。
【０００２】
【従来の技術】
この種の従来のヒュージブルリンクとして図５に示すものがある。このヒュージブルリンク１は、第１，第２ヒューズ回路構成体３，４と、これらヒューズ回路構成体３，４が組み込まれる合成樹脂製で箱形のハウジング２を備えている。
【０００３】
第１ヒューズ回路構成体３は、連結プレート部３ａと、この連結プレート部３ａに各可溶体部３ｂを介して連結された複数の端子部３ｃ，３ｃ′と、連結プレート部３ａの一端側より延設されたバッテリ用端子部３ｄと、連結プレート部３ａの他端側に図示しない可溶体を介して連結された共通端子部５ａとを有し、図示しない導電性を有する平板状のプレート材のプレス加工で形成されている。
【０００４】
また、第２ヒューズ回路構成体４は、連結プレート部４ａと、この連結プレート部４ａに各可溶体部４ｂを介して連結された複数の端子部４ｃ，４ｃ′と、連結プレート部４ａの他端側より延設された共通端子部５ｂとを有し、図示しない導電性を有する平板状のプレート材のプレス加工で第１ヒューズ回路構成体３とは別に形成されている。
【０００５】
さらに、ハウジング２は略直方体形状を有し、その上方に開口部２ａを有する回路体収容室２ｂが内部に形成されている。この回路体収容室２ｂの下方には複数のコネクタハウジング部２ｃと複数の端子支持部２ｄが設けられている。尚、ハウジング２の開口部２ａは蓋体６により覆われるようになっている。
【０００６】
上記構成において、第１，第２ヒューズ回路構成体３，４をハウジング２の開口部２ａより回路体収容室２ｂ内に収容する。そして、第１，第２ヒューズ回路構成体３，４が回路体収容室２ｂに完全に収容されると、第１，第２ヒューズ回路構成体３，４の各連結プレート部３ａ，４ａが回路体収容室２ｂに配置されると共に、各端子部３ｃ，３ｃ′，４ｃ，４ｃ′がコネクタハウジング部２ｃ内や端子支持部２ｄの所定位置にセットされる。
【０００７】
次に、第１，第２ヒューズ回路構成体３，４の互いの共通端子部５ａ，５ｂをボルト７でハウジング２に共締めする。これによって第１ヒューズ回路構成体３と第２ヒューズ回路構成体４が電気的に接続され、第１ヒューズ回路構成体３と第２ヒューズ回路構成体４によって所望のヒューズ回路が構成される。
【０００８】
また、第１ヒューズ回路構成体３のバッテリ用端子３ｄも図示しないボルトによってハウジング２に締結する。このバッテリ用端子３ｄには図示しないバッテリ用ケーブルの端子が、各コネクタハウジング部２ｄ内の各端子部３ｃ，４ｃには図示しない相手側コネクタの各端子が、端子支持部２ｄの各端子部３ｃ′，４ｃ′にはビス止めで図示しないＬＡ端子がそれぞれ接続される。相手側コネクタの各端子及び各ＬＡ端子は図示しないケーブルを介して各負荷にそれぞれ接続され、これら各負荷にバッテリからの電源がヒューズ回路を介して分配供給されるようになっている。
【０００９】
そして、負荷側の短絡事故などによって可溶体部３ｂ，４ｂに所定以上の電流が通電されると、可溶体部３ｂ，４ｂが発熱によって溶断し、過電流に基づく事故が防止される。
【００１０】
【特許文献１】
特開２０００−１３３１１４号公報
【００１１】
【発明が解決しようとする課題】
しかしながら、前記従来のヒュージブルリンク１では、別々に形成された平板状の第１，第２ヒューズ回路構成体３，４をハウジング２に組み付けることによりユニットを形成しているため、組付作業性が煩雑になると共に、全体が大型になった。特に、第１ヒューズ回路構成体３と第２ヒューズ回路構成体４をハウジング２の回路体収容室２ｂ内に組み付けるための組付治具のスペースを確保しなければならないため、小型化には限界があり、また、ヒューズ回路を増設する際には大きなハウジングを用いなければならなかった。
【００１２】
そこで、本発明は、前記した課題を解決すべくなされたものであり、ヒューズ回路数を十分に確保することができると共に、全体の小型化を図ることができるヒュージブルリンク及び該ヒュージブルリンクの製造方法を提供することを目的とする。
【００１３】
【課題を解決するための手段】
請求項１の発明は、連結プレート部に各可溶体部を介して連結される複数の端子部が連鎖状に形成された複数のヒューズ回路構成体を有し、この複数のヒューズ回路構成体をハウジングに組み付けて大電流用のヒューズ回路を形成するようにしたヒュージブルリンクにおいて、前記連結プレート部の略中央に折曲部を一体形成し、この折曲部の両側に前記ヒューズ回路構成体を導電性で平板状のプレート材で一体形成すると共に、この両側のヒューズ回路構成体に絶縁性のハウジングをインサート成形によりそれぞれ一体形成し、かつ、前記折曲部の所定位置を前記各ハウジングが並列になるように折り曲げ形成したことを特徴とする。
【００１４】
このヒュージブルリンクでは、連結プレート部の折曲部の所定位置をその両側のヒューズ回路構成体にインサート成形によりそれぞれ一体形成された各ハウジングが並列になるように折り曲げ形成したので、一枚の平板状のプレート材を折り曲げることにより、二枚の平板状のプレート材と同等のヒューズ回路数が確保される。また、従来のように、一対の回路構成体をハウジング内に組み付けるための組付治具のスペースを確保する必要がないため、その分、全体の小型化が図られる。
【００１５】
請求項２の発明は、請求項１記載のヒュージブルリンクであって、前記各ハウジングの前記各端子部の両側に対向する位置に外側に突出するリブをそれぞれ一体形成したことを特徴とする。
【００１６】
このヒュージブルリンクでは、各端子部の両側に対向するリブ間で該各端子部に接続される相手側端子用の端子収容部が形成される。
【００１７】
請求項３の発明は、請求項１記載のヒュージブルリンクであって、前記各ハウジングの一方に係止部を形成すると共に、他方に該係止部に係止されて該各ハウジングの並列状態を維持する係合部を形成したことを特徴とする。
【００１８】
このヒュージブルリンクでは、折曲部の折り曲げ時に一方のハウジングの係止部と他方のハウジングの係合部が係止されて各ハウジングの並列状態が確実に維持される。
【００１９】
請求項４の発明は、連結プレート部に各可溶体部を介して連結される複数の端子部が連鎖状に形成された複数のヒューズ回路構成体を有し、この複数のヒューズ回路構成体をハウジングに組み付けて大電流用のヒューズ回路を形成するようにしたヒュージブルリンクの製造方法において、導電性で平板状の一枚のプレート材の略中央に折曲部を、その両側にヒューズ回路構成体をそれぞれ形成するようにプレス加工してブスバーを形成し、次に、このブスバーの折曲部の両側のヒューズ回路構成体に絶縁性のハウジングをインサート成形によりそれぞれ一体形成し、次に、前記ブスバーの折曲部の所定位置を前記各ハウジングが並列になるように折り曲げ形成すると共に、一方のハウジングの係止部を他方のハウジングの係合部に係止させてヒュージブルリンクを組み付けて製造することを特徴とする。
【００２０】
このヒュージブルリンクの製造方法では、ブスバーの折曲部の所定位置を該折曲部の両側の各ハウジングが並列になるように折り曲げるだけの簡単な作業によりヒュージブルリンクが低コストで量産される。
【００２１】
【発明の実施の形態】
以下、本発明の一実施形態を図面に基づいて説明する。
【００２２】
図１は本発明の一実施形態のヒュージブルリンクを示す斜視図、図２は同ヒュージブルリンクに用いられるブスバーの折り曲げ前の状態を示す斜視図、図３は同ブスバーの折り曲げ後の状態を示す斜視図、図４は同折り曲げ前のブスバーの両側にハウジングをそれぞれインサート成形により一体形成した状態を示す斜視図である。
【００２３】
図１，図４に示すように、ヒュージブルリンク１０は、略中央の折曲部１２の両側に大電流用のヒューズ回路を形成するヒューズ回路構成体１３，１３′をそれぞれ一体形成した導電性で平板状のブスバー１１と、この一対のヒューズ回路構成体１３，１３′に合成樹脂のインサート成形によりそれぞれ一体形成された絶縁性のハウジング２１，２１′とを備え、折曲部１２の両側を一対のハウジング２１，２１′が並列になるように折り曲げることにより形成されている。
【００２４】
図２に示すように、ブスバー１１の折曲部１２は、一対のヒューズ回路構成体１３，１３′の各連結プレート部１４の略中央に一体形成されており、この折曲部１２の両側に一対のヒューズ回路構成体１３，１３′が導電性で平板状の一枚のプレート材Ｐをプレス加工することにより一体に形成されている。即ち、このプレート材Ｐをプレス加工することにより折曲部１２の両側に一対のヒューズ回路構成体１３，１３′を有したブスバー１１が形成されるようになっている。また、折曲部１２の略中央の上下方向には所定距離隔てて各一対の溝部１２ａ，１２ａを打刻形成してあり、この各一対の溝部１２ａ，１２ａに沿って内側にそれぞれ折り曲げ易くなっている。さらに、折曲部１２の略中央上部には矩形の延長部１２ｂを一体突出形成し、この延長部１２ｂを内側に直角に折り曲げてオルタネータ用端子部１９を形成してある。
【００２５】
図２，図３に示すように、一方のヒューズ回路構成体１３は、折曲部１２の一方の上端より延びる細長い長方形状の連結プレート部１４と、この連結プレート部１４の短手方向に各可溶体部１５を介して連鎖状に連結された複数のビス止め用端子部１６と、連結プレート部１４の一端（折曲部１２とは反対側の端部）の短手方向に可溶体部を介さずに直接連結された１つのバッテリ用端子部１７と、連結プレート部１４の他端側に長手方向に沿って形成されたオルタネータ回路用の可溶体部１８とを備えている。各可溶体部１５，１８は細幅になっており、それぞれに所定値以上の電流が通電されると溶断されるようになっている。複数のビス止め用端子部１６及びバッテリ用端子部１７は、隣接するもの同士が所定クリアランスを隔てて連鎖状に配置されている。
【００２６】
また、他方のヒューズ回路構成体１３′は、折曲部１２の他方の上端より延びる細長い長方形状の連結プレート部１４と、この連結プレート部１４の短手方向に各可溶体部１５を介して連鎖状に連結された複数のビス止め用端子部１６とを備えている。各可溶体部１５は細幅になっており、それぞれに所定値以上の電流が通電されると溶断されるようになっている。また、複数のビス止め用端子部１６は、隣接するもの同士が所定クリアランスを隔てて連鎖状に配置されている。
【００２７】
図１，図４に示すように、一方のヒューズ回路構成体１３にインサート成形により一体形成される一方のハウジング２１は、ブスバー１１の折曲部１２の図中右側の溝部１２ａより外側において一方のヒューズ回路構成体１３の各可溶体部１５及び各端子部１６，１７のビス止め孔１６ａ，１７ａ，１７ｂの周囲を除いてほぼ全体を覆うハウジング本体２２を有している。このハウジング本体２２の各端子部１６，１７の両側に対向する位置には、外側に突出する側面台形状のリブ２３をそれぞれ一体形成してある。この各端子部１６，１７の両側の各リブ２３，２３間が図示しない相手側端子が収容される端子収容部になっている。また、ハウジング本体２２の可溶体部１５の両側にも内側と外側に突出するリブ２４をそれぞれ一体形成してある。
【００２８】
さらに、ハウジング本体２２の折曲部１２の溝部１２ａより外側の裏面に対向する位置には該折曲部１２を内側に折り曲げた際にオルタネータ用端子部１９が載るリブ２５を一体突出形成してある。また、ハウジング本体２２のバッテリ用端子部１７に対向する端部には該ハウジング本体２２の裏側より直角に延びる突出部２６を形成してある。この突出部２６の幅は折曲部１２の露出部の幅Ｌとほぼ同じ幅に形成してあり、該折曲部１２を各一対の溝部１２ａ，１２ａに沿って内側にそれぞれ折り曲げた際に両側のハウジング２１，２１′が平行に併設されるようになっている。この突出部２６の下側には一対の可撓性片部（係止部）２７，２７を一体突出形成してある。
【００２９】
また、図１，図４に示すように、他方のヒューズ回路構成体１３′にインサート成形により一体形成される他方のハウジング２１′は、ブスバー１１の折曲部１２の図中左側の溝部１２ａより外側において他方のヒューズ回路構成体１３′の各可溶体部１５及び各端子部１６のビス止め孔１６ａの周囲を除いてほぼ全体を覆うハウジング本体２２′を有している。このハウジング本体２２′の各端子部１６の両側に対向する位置には、外側に突出する側面台形状のリブ２３をそれぞれ一体形成してある。この各端子部１６の両側の各リブ２３，２３間が図示しない相手側端子が収容される端子収容部になっている。また、ハウジング本体２２′の可溶体部１５の両側にも内側と外側に突出するリブ２４をそれぞれ一体形成してある。
【００３０】
さらに、ハウジング本体２２′の折曲部１２の溝部１２ａより外側の裏面に対向する位置には該折曲部１２を内側に折り曲げた際にオルタネータ用端子部１９が載るリブ２５を一体突出形成してある。また、ハウジング本体２２′の一方のハウジング２１の一対の可撓性片部２７，２７に対向する位置には、該一対の可撓性片部２７，２７の各先端側が収容される凹部２８を形成してある。この凹部２８の上下両側には一対の可撓性片部２７，２７の各先端の鉤部２７ａが係止・離脱される係合突起（係合部）２９をそれぞれ一体突出形成されている。これら一対の可撓性片部２７，２７と一対の係合突起２９，２９との係止により、ブスバー１１の折曲部１２を各一対の溝部１２ａ，１２ａに沿って内側にそれぞれ折り曲げた際にその両側のハウジング２１，２１′の平行状態（並列状態）が維持されるようになっている。
【００３１】
尚、並列状態のハウジング２１，２１′の上側は図示しない合成樹脂製のカバーで覆われるようになっている。
【００３２】
以上実施形態のヒュージブルリンク１０を製造する際に、図２に示すように、まず、金属製で平板状の一枚のプレート材Ｐの略中央に折曲部１２を、その両側にヒューズ回路を構成するヒューズ回路構成体１３，１３′をそれぞれ形成するようにプレス加工してブスバー１１を形成する。
【００３３】
次に、図４に示すように、ブスバー１１の折曲部１２の両側の各ヒューズ回路構成体１３，１３′にハウジング２１，２１′を合成樹脂のインサート成形によりそれぞれ一体形成する。次に、図１に示すように、ブスバー１１の折曲部１２の各一対の溝部１２ａ，１２ａを各ハウジング２１，２１′が平行になるように折り曲げ形成し、一方のハウジング２１の一対の可撓性片部２７，２７の各先端の鉤部２７ａを他方のハウジング２１′の一対の係合突起２９，２９に係止させてヒュージブルリンク１０を製造する。
【００３４】
このヒュージブルリンク１０の一方のハウジング２１より露出したバッテリ用端子部１７には図示しないバッテリ用ケーブルのＬＡ（丸形）端子を、オルタネータ用端子部１９にはボルトとナットによってオルタネータ用ケーブルの端子（いずれも図示せず）を、それぞれ接続する。また、各ハウジング２１，２１′より露出した各ビス止め用端子部１６にはナットとビスを介して相手側端子としてのＬＡ端子（いずれも図示せず）をそれぞれ接続する。この各ＬＡ端子はケーブルを介して各負荷（いずれも図示せず）にそれぞれ接続される。
【００３５】
そして、各負荷にバッテリやオルタネータからの電源がヒュージブルリンク１０の各ヒューズ回路構成体１３，１３′のヒューズ回路を介して分配供給される。また、バッテリの電源が少なくなると、オルタネータよりバッテリに電源が供給されることによって充電が行われる。そして、負荷側の短絡事故等によっていずれかの可溶体部１５，１８に所定以上の電流が通電されると、可溶体部１５，１８が発熱によって溶断し、過電流に基づく事故が防止される。
【００３６】
このように、ブスバー１１の折曲部１２の各溝部１２ａを該折曲部１２の両側の各ハウジング２１，２１′が平行になるように折り曲げるだけの簡単な作業によりヒュージブルリンク１０を組み付けて製造することができる。これにより、小型のヒュージブルリンク１０を大量生産することができると共に、低コストで製造することができる。
【００３７】
また、ブスバー１１の折曲部１２の両側の各ヒューズ回路構成体１３，１３′に合成樹脂製のハウジング２１，２１′をそれぞれ一体形成し、従来のように、別々に形成された回路構成体をハウジング内に組み付けるための組付治具のスペースを確保する必要がないため、その分、ヒュージブルリンク１０の全体の小型化をより一段と図ることができると共に、一枚のブスバー１１により二枚のブスバーと同等のヒューズ回路数を十分に確保することができる。これにより、集約回路数の増加に対し、小型、省スペースでのレイアウトが可能となると共に、出力部の接続形態も効率の良い設定（既存の接続形態）ができる。
【００３８】
さらに、各ハウジング２１，２１′の各端子部１６，１７の両側に対向する位置に外側に突出するリブ２３をそれぞれ一体形成したので、各端子部１６，１７の両側に対向するリブ２３，２３間で相手側端子用の端子収容部を形成することができ、この各リブ２３，２３間で各端子部１６，１７に接続されるＬＡ端子を確実に収容して保護することができる。
【００３９】
さらに、一方のハウジング２１に一対の可撓性片部２７，２７を一体形成すると共に、他方のハウジング２１′に該一対の可撓性片部２７，２７の各先端の鉤部２７ａに係止されて一対のハウジング２１，２１′の並列状態を維持する一対の係合突起２９，２９を一体形成したので、ブスバー１１の折曲部１２の折り曲げ時に一方のハウジング２１の各可撓性片部２７の鉤部２７ａと他方のハウジング２１′の各係合突起２９とを係止することにより各ハウジング２１，２１′の並列状態を確実に維持することができる。
【００４０】
尚、前記実施形態によれば、一つの折曲部を介してヒューズ回路構成体を２層に並列に配置したが、二つ以上の折曲部を介してヒューズ回路構成体を３層以上に並列に配置しても良い。
【００４１】
【発明の効果】
以上説明したように、請求項１の発明のヒュージブルリンクによれば、連結プレート部の略中央に折曲部を一体形成し、この折曲部の両側にヒューズ回路構成体を一枚の平板状のプレート材で一体形成すると共に、該両側のヒューズ回路構成体に絶縁性のハウジングをインサート成形によりそれぞれ一体形成し、かつ、折曲部の所定位置を各ハウジングが並列になるように折り曲げ形成したので、ヒューズ回路数を十分に確保することができると共に、全体の小型化を図ることができる。
【００４２】
請求項２の発明のヒュージブルリンクによれば、各ハウジングの各端子部の両側に対向する位置に外側に突出するリブをそれぞれ一体形成したので、各端子部の両側に対向するリブ間で該各端子部に接続される相手側端子用の端子収容部を形成することができる。
【００４３】
請求項３の発明のヒュージブルリンクによれば、各ハウジングの一方に係止部を形成すると共に、他方に該係止部に係止されて該各ハウジングの並列状態を維持する係合部を形成したので、折曲部の折り曲げ時に一方のハウジングの係止部と他方のハウジングの係合部とを係止することにより各ハウジングの並列状態を確実に維持することができる。
【００４４】
請求項４の発明のヒュージブルリンクの製造方法によれば、ブスバーの折曲部の所定位置を該折曲部の両側の各ハウジングが並列になるように折り曲げるだけの簡単な作業でヒュージブルリンクを製造することができるので、小型のヒュージブルリンクを大量生産することができると共に、低コストで製造することができる。
【図面の簡単な説明】
【図１】本発明の一実施形態のヒュージブルリンクを示す斜視図である。
【図２】上記ヒュージブルリンクに用いられるブスバーの折り曲げ前の状態を示す斜視図である。
【図３】上記ブスバーの折り曲げ後の状態を示す斜視図である。
【図４】上記折り曲げ前のブスバーの両側にハウジングをそれぞれインサート成形により一体形成した状態を示す斜視図である。
【図５】従来のヒュージブルリンクの斜視図である。
【符号の説明】
１０  ヒュージブルリンク
１１  ブスバー
１２  折曲部
１２ａ  溝部（所定位置）
１３，１３′  ヒューズ回路構成体
１４  連結プレート部
１５  可溶体部
１６  ビス止め用端子部（端子部）
１７  バッテリ用端子部（端子部）
２１，２１′  ハウジング
２３  リブ
２７  可撓性片部（係止部）
２９  係合突起（係合部）
Ｐ  プレート材
【図１】
2004186006.tif 000003
【図２】
2004186006.tif 000004
【図３】
2004186006.tif 000005
【図４】
2004186006.tif 000006
【図５】
2004186006.tif 000007